(57)【特許請求の範囲】
【請求項１】
金属からなる筐体を有し、情報信号を受信する情報端末に一端を接続した同軸ケーブルの他端のアース導体が接続される接地部及び前記同軸ケーブルの他端の芯線が接続される導体部を設けたＦ型接栓と、スライドすることによって、前記情報端末側から前記Ｆ型接栓に入力する雑音を遮断するフィルター手段の動作のオン・オフを切換えるスライドスイッチの操作部とを前記筐体の前面に備え、前記筐体の内部に前記フィルター手段を備えた本体ブロックと、
前記本体ブロックの前面に被着して、前記本体ブロックの前面が露出する開口部と、埋込型配線器具の取付枠に取り付けるための係止部とを備えた第１のカバー部と、
前記Ｆ型接栓を収納する凹部と前記凹部の底面に設けた前記Ｆ型接栓が挿通する挿通孔とを備えて、前記Ｆ型接栓に回動自在に軸支されて前記第１のカバーの開口部上に配置され、前記本体ブロックの前面と対向する面に、前記本体ブロックの前面に設けてあるガイド用凸部が移動自在に遊嵌する回動中心と同心の円弧状のガイド用孔と、一方の方向に回動した時に前記スライドスイッチの操作部を押動して前記スライドスイッチをオンに切換えるリブと、他方の方向に回動した時に前記スライドスイッチの操作部を押動して前記スライドスイッチをオフに切換えるリブとを備えた第２のカバー部とから構成されることを特徴とするテレビコンセント。
【請求項２】
金属からなる筐体を有し、情報信号を受信する情報端末に一端を接続した同軸ケーブルの他端のアース導体が接続される接地部及び前記同軸ケーブルの他端の芯線が接続される導体部を設けたＦ型接栓と、スライドすることによって、前記情報端末側から前記Ｆ型接栓に入力する雑音を遮断するフィルター手段の動作のオン・オフを切換えるスライドスイッチの操作部とを前記筐体の前面に備え、前記筐体の内部に前記フィルター手段を備えた本体ブロックと、
前記本体ブロックの前面に被着して、前記本体ブロックの前面が露出する開口部と、埋込型配線器具の取付枠に取り付けるための係止部とを備えた第１のカバー部と、
前記Ｆ型接栓を収納する凹部と前記凹部の底面に設けた前記Ｆ型接栓が挿通する挿通孔とを備えて、前記Ｆ型接栓に回動自在に軸支されて前記第１のカバーの開口部上に配置され、前記本体ブロックの前面と対向する面に、前記スライドスイッチの操作部が移動自在に遊嵌する回動中心と同心の円弧状のガイド用孔を形成し、前記円弧状のガイド用孔は、一
方の方向に回動した時に前記スライドスイッチの操作部を押動して前記スライドスイッチをオンに切換える一方の端部と、他方の方向に回動した時に前記スライドスイッチの操作部を押動して前記スライドスイッチをオフに切換える他方の端部とを備える第２のカバー部とから構成されることを特徴とするテレビコンセント。  
【発明の詳細な説明】
【０００１】
【発明の属する技術分野】
本発明は、テレビコンセントに関するものである。
【０００２】
【従来の技術】
図２９に双方向の信号伝送を行うことができる双方向ＣＡＴＶのシステム構成を示す。上位から、双方向保安器１０１、双方向ＣＡＴＶブースタ１０２、分配器１０３が接続され、分配器１０３から複数の、フィルター手段を備えないテレビコンセント１００が接続され、各テレビコンセント１００は、情報端末に接続され、例えばホームターミナル１０４を介してテレビ１０６と接続したり、ケーブルモデム１０５を介してパソコン１０７と接続している。
【０００３】
ここで、パソコン１０７から発する信号のように、テレビコンセント１００を介して上位に伝達される信号を上り信号Ａと呼び、テレビ１０６が受信する信号のようにテレビコンセント１００を介して各情報端末に伝達される信号を下り信号Ｂと呼ぶ。
【０００４】
このような双方向ＣＡＴＶのシステムにおいては、情報端末から混入する流合雑音Ｃが上り信号Ａに悪影響を与えることがある。 例えば、テレビ１０６に混入した流合雑音Ｃは、ホームターミナル１０４とテレビコンセント１００と分配器１０３を介して上位に伝達され、パソコン１０７が発した上り信号Ａに悪影響を与える。
【０００５】
前記情報端末からの流合雑音の混入を防ぐ方法の一つとして、図３０に示すように、各情報端末とフィルター手段を備えるテレビコンセント１０１と接続して、テレビコンセント１０１のフィルター手段を動作させることによって、信号の伝達を下り信号Ｂを通して上り信号Ａを通さない単方向にする方法が用いられる。
【０００６】
テレビコンセント１０１を用いると、テレビ１０６からの流合雑音は、テレビコンセント１０１を使用し、フィルター手段の動作をオン（単方向）にすることによりカットされる。 また、パソコン１０７のように双方向の信号伝達が必要な情報端末には、フィルター手段の動作をオフにしたテレビコンセント１０１´を用いる。
【０００７】
図３１（ａ），（ｂ），（ｃ）に従来のテレビコンセント１０１の前面図、下面図、側面図を各々示し、図３２（ａ），（ｂ）に施工取付時の前面図、断面図を各々示す。テレビコンセント１０１は略直方体状であって、金属筐体を備える本体ブロック２と、本体ブロック２の前面側に被着される後面開口したカバー部３とにより形成される。そして、カバー部３の長手方向の両側壁の後縁から後方に向かって組立片１３が延設され、組立片１３に設けた組立孔９が本体ブロック２の長手方向の両側面に形成してある組立突起８に係合することにより本体ブロック２とカバー部３とが結合される。
【０００８】
本体ブロック２は、同軸ケーブル１３のアース導体が接続される接地部１５及び同軸ケーブル１３の芯線が接続される導体部１４を備えたＦ型接栓４ａ，４ｂを備え、テレビ１０６等の情報端末に接続している同軸ケーブル（図示なし）を接続するＦ型接栓４ａを本体ブロック２の前面に備え、上位からの同軸ケーブル１３を接続するまたは上位からの信号を通過させるＦ型接栓４ｂを本体ブロック２の下面の後方に備え、下面の前方に備えた操作部６ａをスライド操作することで前記情報端末側からＦ型接栓４ａに入力する雑音を遮断するフィルター手段の動作をオン・オフさせるスイッチ６を備える。
【０００９】
カバー部３は、前面に凹部１０を備え、凹部１０にはＦ型接栓４ａが挿通する挿通孔１１が形成され、カバー部３の長手方向の各側面には、埋込型配線器具の取付枠３２の器具取付孔（図示なし）に係止可能な取付爪５が各々一対ずつ突設してあり、取付爪５が器具取付孔に係止することによって取付枠３２に保持されるようにしてある。
【００１０】
テレビコンセント１０１の施工取付は、壁１１０の後方に前面開口したボックス１２０を設置し、ボックス１２０の開口に沿って壁１１０に開口部１１１を形成し、プレート枠３１を開口部１１１の前面側に設置し、取付枠３２をプレート枠３１の後面側に取付け、
カバー部３の取付爪５が取付枠３２の器具取付孔に係止することによってテレビコンセント１０１が取付枠３２に保持される。そして、Ｆ型接栓４ａの周囲を長方形状に切り欠いた化粧プレート３０がプレート枠３１の前面側に取り付けられる。
【００１１】
また、Ｆ型接栓４ｂは外面にねじ山を螺刻された円筒状の外殻を有し、同軸ケーブル１３の接続端に設けたナット１４と螺合してＦ型接栓４ｂと、同軸ケーブル１３とは固定される（Ｆ型接栓４ａについても同様）。
【００１２】
このような従来のテレビコンセント１０１において、Ｆ型接栓４ａを通過する信号のフィルター手段の動作をオン・オフさせるスイッチ６の操作部６ａは、施工後の通常状態では、一般ユーザーが容易に操作することができないようにするために、化粧プレート３０に覆われた壁１１０の中に隠れて見えない状態となっている。
【００１３】
【発明が解決しようとする課題】
この為、施工業者がスイッチ６の操作部６ａを切換える為には、一旦、化粧プレート３０、プレート枠３１、取付枠３２を外した状態にしてから操作部６ａのオン・オフを行い、再度取付枠３２に取り付け、プレート枠３１、化粧プレート３０を取り付けるという作業をするか、化粧プレート３０を外した状態でテレビコンセント１０１の下端面と取付枠３２とのすきまに指を入れ、目で見えない状態で操作部６ａのオン・オフをする必要があり、操作部６ａのオン・オフ切換え作業が煩わしく、作業性が悪いという問題点があった。
【００１４】
本発明は、上記事由に鑑みてなされたものであり、その目的は、フィルタ手段の動作のオン・オフを、一般ユーザは容易に切換えることができず、施工業者は容易に切換えることができるテレビコンセントを提供することにある。
【００１５】
【課題を解決するための手段】
請求項１の発明は、金属からなる筐体を有し、情報信号を受信する情報端末に一端を接続した同軸ケーブルの他端のアース導体が接続される接地部及び前記同軸ケーブルの他端の芯線が接続される導体部を設けたＦ型接栓と、スライドすることによって、前記情報端末側から前記Ｆ型接栓に入力する雑音を遮断するフィルター手段の動作のオン・オフを切換えるスライドスイッチの操作部とを前記筐体の前面に備え、前記筐体の内部に前記フィルター手段を備えた本体ブロックと、
前記本体ブロックの前面に被着して、前記本体ブロックの前面が露出する開口部と、埋込型配線器具の取付枠に取り付けるための係止部とを備えた第１のカバー部と、
前記Ｆ型接栓を収納する凹部と前記凹部の底面に設けた前記Ｆ型接栓が挿通する挿通孔とを備えて、前記Ｆ型接栓に回動自在に軸支されて前記第１のカバーの開口部上に配置され、前記本体ブロックの前面と対向する面に、前記本体ブロックの前面に設けてあるガイド用凸部が移動自在に遊嵌する回動中心と同心の円弧状のガイド用孔と、一方の方向に回動した時に前記スライドスイッチの操作部を押動して前記スライドスイッチをオンに切換えるリブと、他方の方向に回動した時に前記スライドスイッチの操作部を押動して前記スライドスイッチをオフに切換えるリブとを備えた第２のカバー部とから構成されることを特徴とする。
【００１６】
請求項２の発明は、金属からなる筐体を有し、情報信号を受信する情報端末に一端を接続した同軸ケーブルの他端のアース導体が接続される接地部及び前記同軸ケーブルの他端の芯線が接続される導体部を設けたＦ型接栓と、スライドすることによって、前記情報端末側から前記Ｆ型接栓に入力する雑音を遮断するフィルター手段の動作のオン・オフを切換えるスライドスイッチの操作部とを前記筐体の前面に備え、前記筐体の内部に前記フィルター手段を備えた本体ブロックと、
前記本体ブロックの前面に被着して、前記本体ブロックの前面が露出する開口部と、埋込型配線器具の取付枠に取り付けるための係止部とを備えた第１のカバー部と、
前記Ｆ型接栓を収納する凹部と前記凹部の底面に設けた前記Ｆ型接栓が挿通する挿通孔とを備えて、前記Ｆ型接栓に回動自在に軸支されて前記第１のカバーの開口部上に配置され、前記本体ブロックの前面と対向する面に、前記スライドスイッチの操作部が移動自在に遊嵌する回動中心と同心の円弧状のガイド用孔を形成し、前記円弧状のガイド用孔は、一
方の方向に回動した時に前記スライドスイッチの操作部を押動して前記スライドスイッチをオンに切換える一方の端部と、他方の方向に回動した時に前記スライドスイッチの操作部を押動して前記スライドスイッチをオフに切換える他方の端部とを備える第２のカバー部とから構成されることを特徴とする。  
【００１７】
【発明の実施の形態】
以下、本発明の実施の形態、及び参考例を図面に基づいて説明する。
【００１８】
（参考例１）
図１に示すように、本参考例のフィルター手段を備えるテレビコンセント１は本体ブロック２と第１のカバー部３ａと第２のカバー部３ｂとから構成され、図２〜４は本体ブロック２、第１のカバー部３ａ、第２のカバー部３ｂの各構成を示す。
【００１９】
テレビコンセント１は略直方体状であって、金属筐体を備える本体ブロック２と、前面に開口部１７を有し且つ後面開口し、本体ブロック２の前面側に被着する第１のカバー部３ａと、第１のカバー部３ａの開口部１７に着脱自在に被着する第２のカバー部３ｂとから構成される。そして、第１のカバー部３ａの長手方向の両側壁の後縁から後方に向かって組立片１３が延設され、組立片１３に設けた組立孔９が本体ブロック２の長手方向の両側面に形成してある組立突起８に係合することにより本体ブロック２と第１のカバー部３ａとが結合される。
【００２０】
本体ブロック２は、同軸ケーブル（図示なし）のアース導体が接続される接地部１５及び同軸ケーブルの芯線が接続される導体部１４を備えたＦ型接栓４ａ，４ｂを備え、情報信号を受信する情報端末に一端を接続している同軸ケーブルの他端を接続するＦ型接栓４ａを本体ブロック２の前面に備え、上位からの同軸ケーブルを接続するまたは上位からの信号を通過させるＦ型接栓４ｂを本体ブロック２の下面の後方に備えている。そして、前記情報端末側からＦ型接栓４ａに入力する雑音を遮断するフィルター手段（図示なし）を内部に設けており、前記フィルター手段の動作をオン・オフさせるスイッチ６はスライドスイッチであり、スイッチ６は、直線状に短手方向にスライド操作することで前記フィルター手段の動作をオン・オフさせることができる操作部６ａを本体ブロック２の前面に備えている。
【００２１】
第１のカバー部３ａは、前面にＦ型接栓４ａと操作部６ａとを前方に露出させる開口部１７を備える。そして、従来例と同様に埋込型配線器具の取付枠３２に取付可能であり、長手方向の各側面には、埋込型配線器具の取付枠３２の器具取付孔（図示なし）に係止可能な取付爪５が各々一対ずつ突設してあり、取付爪５が器具取付孔に係止することによって取付枠３２に保持されるようにしてある。
【００２２】
第２のカバー部３ｂは、前面に凹部１０を備え、凹部１０の底部にはＦ型接栓４ａが挿通する挿通孔１１が形成され、凹部１０にＦ型接栓４ａが収納される。また、第２のカバー部３ｂの長手方向の一方の側端部には、短手方向に沿った矩形状の治具挿入用の切り欠き部１６が設けられており、切り欠き部１６では、第１のカバー部３ａの開口部１７の開口端が前面から露出している。
【００２３】
テレビコンセント１の施工取付は、従来例と同様に化粧プレート３０、プレート枠３１、取付枠３２を用いるものであり、化粧プレート３０は第２のカバー部３ｂに対応する箇所を長方形状に切り欠いている。
【００２４】
図６に、（ａ）通常状態時の前面図と（ｂ）操作部６ａ操作可能状態時の前面図とを示す。
【００２５】
通常状態においては、操作部６ａは第２のカバー部３ｂによって覆われているため、操作部６ａは一般ユーザーが容易に操作できないようになっている（図６（ａ）の状態）。
【００２６】
操作部６ａを操作するときには、化粧プレート３０、プレート枠３１、取付枠３２を取り付けた状態で、第２のカバー部３ｂの切り欠き部１６に露出している開口部１７の開口端にドライバー等の治具を差し込み、第２のカバー部３ｂの後端から前方に力を加えることで第２のカバー部３ｂを第１のカバー部３ａから容易に外すことができる。そして、操作部６ａが第１のカバー部３ａの開口部１７を介して前面から見える状態にしておくことによって、操作部６ａのオン・オフ操作を行って、フィルター手段の動作を切りかえるこ
とができる（図６（ｂ）の状態）。
【００２７】
なお、本参考例においては、本体ブロック２にスライドスイッチであるスイッチ６を設けているが、図５に示すように押釦スイッチであるスイッチ６を設けて、押下することでスイッチ６のオン・オフを切り換える操作部６ａを本体ブロック２の前面に備えてもよい。
【００２８】
（実施形態１）
図７に示すように、本実施形態のフィルター手段を備えるテレビコンセント１は本体ブロック２と第１のカバー部３ａと第２のカバー部３ｂとから構成され、図８〜１０は本体ブロック２、第１のカバー部３ａ、第２のカバー部３ｂの各構成を示す。
【００２９】
テレビコンセント１は略直方体状であって、金属筐体を備える本体ブロック２と、前面に開口部１７を有し且つ後面開口し、本体ブロック２の前面側に被着する第１のカバー部３ａと、第１のカバー部３ａの開口部１７上に配置される第２のカバー部３ｂとから構成される。そして、第１のカバー部３ａの長手方向の両側壁の後縁から後方に向かって組立片１３が延設され、組立片１３に設けた組立孔９が本体ブロック２の長手方向の両側面に形成してある組立突起８に係合することにより本体ブロック２と第１のカバー部３ａとが結合される。
【００３０】
本体ブロック２は、同軸ケーブル（図示なし）の他端のアース導体が接続される接地部１５及び同軸ケーブルの芯線が接続される導体部１４を備えたＦ型接栓４ａ，４ｂを備え、情報信号を受信する情報端末に一端を接続している同軸ケーブルの他端を接続するＦ型接栓４ａを本体ブロック２の前面に備え、上位からの同軸ケーブルを接続するまたは上位からの信号を通過させるＦ型接栓４ｂを本体ブロック２の下面の後方に備えている。そして、前記情報端末側からＦ型接栓４ａに入力する雑音を遮断するフィルター手段（図示なし）を内部に設けており、前記フィルター手段の動作をオン・オフさせるスイッチ６はスライドスイッチであり、スイッチ６は、直線状に短手方向にスライド操作することで前記フィルター手段の動作をオン・オフさせることができる操作部６ａを本体ブロック２の前面に備えている。また、Ｆ型接栓４ａの左側に柱状のガイド凸部２０が立設している。
【００３１】
第１のカバー部３ａは、前面にＦ型接栓４ａと操作部６ａとを前方に露出させる開口部１７を備える。そして、従来例と同様に埋込型配線器具の取付枠３２に取付可能であり、長手方向の各側面には、埋込型配線器具の取付枠３２の器具取付孔（図示なし）に係止可能な取付爪５が各々一対ずつ突設してあり、取付爪５が器具取付孔に係止することによって取付枠３２に保持されるようにしてある。
【００３２】
第２のカバー部３ｂは、前面に凹部１０を備え、凹部１０の底部にはＦ型接栓４ａが挿通する挿通孔１１が形成され、凹部１０にＦ型接栓４ａが収納され、Ｆ型接栓４ａに回動自在に軸支される。挿通孔１１の左側には、挿通孔１１の外周部を円弧状に切り欠いたガイド用孔１９が、回動中心と同心に形成され、ガイド凸部２０が移動自在に遊嵌しており、回動時には、ガイド凸部２０がガイド用孔１９の端部と当接することによって、第２のカバー部３ｂの回動範囲を制限している。
【００３３】
また、第２のカバー部３ｂの後面には、第２のカバー部３ｂが時計方向に回動した時に操作部６ａを押動してスイッチ６をオンに切換えるリブ１８ｂと、反時計方向に回動した時に操作部６ａを押動してスイッチ６をオフに切換えるリブ１８ａとが設けられている。
【００３４】
図１１に、（ａ）通常状態時の前面図と（ｂ），（ｃ）操作部６ａ操作可能状態時の前面図とを示す。テレビコンセント１の施工取付は、従来例と同様に化粧プレート３０、プレート枠３１、取付枠３２を用いるものであり、取付爪５は取付枠３２の器具取付孔３３に係止して取り付けられ、化粧プレート３０はＦ型接栓４ａ近傍に対応する箇所を長方形状に切り欠いている。
【００３５】
通常状態においては、化粧プレート３０が被着し、且つ操作部６ａは前面から見えないので、操作部６ａは一般ユーザーが容易に操作できないようになっている（図１１（ａ）の状態）。
【００３６】
操作部６ａを操作するときには、化粧プレート３０を取り外し、プレート枠３１、取付枠３２を取り付けた状態で、第２のカバー部３ｂを時計方向あるいは反時計方向に回動さ
せることによって、リブ１８ｂまたはリブ１８ａが操作部６ａを押動して、操作部６ａをオンまたはオフに切り換えることによって、フィルター手段の動作を切りかえることができる（図１１（ｂ），（ｃ）の状態）。
【００３７】
（実施形態２）
図１２に示すように、本実施形態のフィルター手段を備えるテレビコンセント１は本体ブロック２と第１のカバー部３ａと第２のカバー部３ｂとから構成され、図１３〜１５は本体ブロック２、第１のカバー部３ａ、第２のカバー部３ｂの各構成を示す。
【００３８】
テレビコンセント１は略直方体状であって、金属筐体を備える本体ブロック２と、前面に開口部１７を有し且つ後面開口し、本体ブロック２の前面側に被着する第１のカバー部３ａと、第１のカバー部３ａの開口部１７上に配置される第２のカバー部３ｂとから構成される。そして、第１のカバー部３ａの長手方向の両側壁の後縁から後方に向かって組立片１３が延設され、組立片１３に設けた組立孔９が本体ブロック２の長手方向の両側面に形成してある組立突起８に係合することにより本体ブロック２と第１のカバー部３ａとが結合される。
【００３９】
本体ブロック２は、同軸ケーブル（図示なし）の他端のアース導体が接続される接地部１５及び同軸ケーブルの芯線が接続される導体部１４を備えたＦ型接栓４ａ，４ｂを備え、情報信号を受信する情報端末に一端を接続している同軸ケーブルの他端を接続するＦ型接栓４ａを本体ブロック２の前面に備え、上位からの同軸ケーブルを接続するまたは上位からの信号を通過させるＦ型接栓４ｂを本体ブロック２の下面の後方に備えている。そして、前記情報端末側からＦ型接栓４ａに入力する雑音を遮断するフィルター手段（図示なし）を内部に設けており、前記フィルター手段の動作をオン・オフさせるスイッチ６はスライドスイッチであり、スイッチ６は、円弧状にスライド操作することで前記フィルター手段の動作をオン・オフさせることができる操作部６ａを本体ブロック２の前面に備えている。
【００４０】
第１のカバー部３ａは、前面にＦ型接栓４ａと操作部６ａとを前方に露出させる開口部１７を備える。そして、従来例と同様に埋込型配線器具の取付枠３２に取付可能であり、長手方向の各側面には、埋込型配線器具の取付枠３２の器具取付孔（図示なし）に係止可能な取付爪５が各々一対ずつ突設してあり、取付爪５が器具取付孔に係止することによって取付枠３２に保持されるようにしてある。
【００４１】
第２のカバー部３ｂは、前面に凹部１０を備え、凹部１０の底部にはＦ型接栓４ａが挿通する挿通孔１１が形成され、凹部１０にＦ型接栓４ａが収納され、Ｆ型接栓４ａに回動自在に軸支される。挿通孔１１の左側には、挿通孔１１の外周部を円弧状に切り欠いたガイド用孔２１が、回動中心と同心に形成され、スイッチ６の操作部６ａが移動自在に遊嵌しており、第２のカバー部３ｂが時計方向に回動した時にガイド用孔部２１の一方の端部がスイッチ６の操作部６ａを押動してスイッチ６をオンに切換え、反時計方向に回動した時にガイド用孔２１の他方の端部がスイッチ６の操作部６ａを押動してスイッチをオフに切換える。
【００４２】
また、回動時には、操作部６ａがガイド用孔２１の端部と当接することによって、第２のカバー部３ｂの回動範囲を制限している。
【００４３】
図１６に、（ａ）通常状態時の前面図と（ｂ），（ｃ）操作部６ａ操作可能状態時の前面図とを示す。テレビコンセント１の施工取付は、従来例と同様に化粧プレート３０、プレート枠３１、取付枠３２を用いるものであり、取付爪５は取付枠３２の器具取付孔３３に係止して取り付けられ、化粧プレート３０はＦ型接栓４ａ近傍に対応する箇所を長方形状に切り欠いている。
【００４４】
通常状態においては、化粧プレート３０が被着し、且つ操作部６ａは前面から見えないので、操作部６ａは一般ユーザーが容易に操作できないようになっている（図１６（ａ）の状態）。
【００４５】
操作部６ａを操作するときには、化粧プレート３０を取り外し、プレート枠３１、取付枠３２を取り付けた状態で、第２のカバー部３ｂを時計方向あるいは反時計方向に回動させることによって、ガイド用孔２１の端部が操作部６ａを押動して、操作部６ａをオンま
たはオフに切り換えることによって、フィルター手段の動作を切りかえることができる（図１１（ｂ），（ｃ）の状態）。
【００４６】
（参考例２）
図１７に示すように、本参考例のフィルター手段を備えるテレビコンセント１は本体ブロック２とカバー部３ｃとから構成され、図１８，１９は本体ブロック２、カバー部３ｃの各構成を示す。
【００４７】
テレビコンセント１は略直方体状であって、金属筐体を備える本体ブロック２と、後面開口して、本体ブロック２の前面側に被着するカバー部３ｃとから構成される。そして、カバー部３ｃの長手方向の両側壁の後縁から後方に向かって組立片１３が延設され、組立片１３に設けた組立孔９が本体ブロック２の長手方向の両側面に形成してある組立突起８に係合することにより本体ブロック２とカバー部３ｃとが結合される。
【００４８】
本体ブロック２は、同軸ケーブル（図示なし）の他端のアース導体が接続される接地部１５及び同軸ケーブルの芯線が接続される導体部１４を備えたＦ型接栓４ａ，４ｂを備え、情報信号を受信する情報端末に一端を接続している同軸ケーブルの他端を接続するＦ型接栓４ａを本体ブロック２の前面に備え、上位からの同軸ケーブルを接続するまたは上位からの信号を通過させるＦ型接栓４ｂを本体ブロック２の下面の後方に備えている。そして、前記情報端末側からＦ型接栓４ａに入力する雑音を遮断するフィルター手段（図示なし）を内部に設けており、前記フィルター手段の動作をオン・オフさせるスイッチ６はスライドスイッチであり、スイッチ６は、直線状に短手方向にスライド操作することで前記フィルター手段の動作をオン・オフさせることができる操作部６ａを、本体ブロック２の前面の長手方向の一方の側端部に偏倚して備えている。
【００４９】
カバー部３ｃは、従来例と同様に埋込型配線器具の取付枠３２に取付可能であり、長手方向の各側面には、埋込型配線器具の取付枠３２の器具取付孔（図示なし）に係止可能な取付爪５が各々一対ずつ突設してあり、取付爪５が器具取付孔に係止することによって取付枠３２に保持されるようにしてある。また、前面に凹部１０を備え、凹部１０の底部にはＦ型接栓４ａが挿通する挿通孔１１が形成され、凹部１０にＦ型接栓４ａが収納される。カバー部３ｃの長手方向の一方の側端部には、操作部６ａの可動範囲に対応するように、短手方向に沿った矩形状の操作孔２２が設けられており、操作孔２２では、操作部６ａが前面から露出している。
【００５０】
図２０に、（ａ）通常状態時の前面図と（ｂ）操作部６ａ操作可能状態時の前面図とを示す。テレビコンセント１の施工取付は、従来例と同様に化粧プレート３０、プレート枠３１、取付枠３２を用いるものであり、取付爪５は取付枠３２の器具取付孔３３に係止して取り付けられ、化粧プレート３０はＦ型接栓４ａ近傍に対応する箇所を長方形状に切り欠いている。
【００５１】
通常状態においては、操作部６ａはカバー部３ｃによって覆われているため、操作部６ａは一般ユーザーが容易に操作できないようになっている（図２０（ａ）の状態）。
【００５２】
操作部６ａを操作するときには、化粧プレート３０を取り外し、プレート枠３１、取付枠３２を取り付けた状態で、操作孔２２に差し込んだドライバー等で、露出している操作部６ａのオン・オフ操作を行って、フィルター手段の動作を切りかえることができる（図２０（ｂ）の状態）。
【００５３】
（参考例３）
図２１に示すように、本参考例のフィルター手段を備えるテレビコンセント１は本体ブロック２とカバー部３ｃとから構成され、図２２，２３は本体ブロック２、カバー部３ｃの各構成を示す。
【００５４】
テレビコンセント１は略直方体状であって、金属筐体を備える本体ブロック２と、後面開口して、本体ブロック２の前面側に被着するカバー部３ｃとから構成される。そして、カバー部３ｃの長手方向の両側壁の後縁から後方に向かって組立片１３が延設され、組立片１３に設けた組立孔９が本体ブロック２の長手方向の両側面に形成してある組立突起８に係合することにより本体ブロック２とカバー部３ｃとが結合される。
【００５５】
本体ブロック２は、同軸ケーブル（図示なし）の他端のアース導体が接続される接地部
１５及び同軸ケーブルの芯線が接続される導体部１４を備えたＦ型接栓４ａ，４ｂを備え、情報信号を受信する情報端末に一端を接続している同軸ケーブルの他端を接続するＦ型接栓４ａを本体ブロック２の前面に備え、上位からの同軸ケーブルを接続するまたは上位からの信号を通過させるＦ型接栓４ｂを本体ブロック２の下面の後方に備えている。そして、前記情報端末側からＦ型接栓４ａに入力する雑音を遮断するフィルター手段（図示なし）を内部に設けており、前記フィルター手段の動作をオン・オフさせるスイッチ６は押釦スイッチであり、スイッチ６は、押下操作することで前記フィルター手段の動作をオン・オフさせることができる操作部６ｂを、本体ブロック２の前面のＦ型接栓４ａ近傍に備えている。
【００５６】
カバー部３ｃは、従来例と同様に埋込型配線器具の取付枠３２に取付可能であり、長手方向の各側面には、埋込型配線器具の取付枠３２の器具取付孔（図示なし）に係止可能な取付爪５が各々一対ずつ突設してあり、取付爪５が器具取付孔に係止することによって取付枠３２に保持されるようにしてある。また、前面に凹部１０を備え、凹部１０の底部にはＦ型接栓４ａが挿通し、且つ操作部６ｂが前面から露出する挿通孔１１が形成され、凹部１０にＦ型接栓４ａが収納されるとともに、操作部６ｂを前方から操作することができる。
【００５７】
図２４に、化粧プレート取付時の前面図を示す。テレビコンセント１の施工取付は、従来例と同様に化粧プレート３０、プレート枠３１、取付枠３２を用いるものであり、取付爪５は取付枠３２の器具取付孔３３に係止して取り付けられ、化粧プレート３０はＦ型接栓４ａ近傍に対応する箇所を長方形状に切り欠いている。
【００５８】
通常状態においては、操作部６ｂは凹部１０の底部に設けられ、前面から見づらい位置にあるため、操作部６ｂは一般ユーザーが容易に操作できないようになっている。
【００５９】
操作部６ｂを操作するときには、化粧プレート３０、プレート枠３１、取付枠３２を取り付けた状態で、前方から、露出している操作部６ｂのオン・オフ操作を行って、フィルター手段の動作を切りかえることができる。
【００６０】
（参考例４）
図２５に示すように、本参考例のフィルター手段を備えるテレビコンセント１は本体ブロック２とカバー部３ｃとから構成され、図２６，２７は本体ブロック２、カバー部３ｃの各構成を示す。
【００６１】
テレビコンセント１は略直方体状であって、金属筐体を備える本体ブロック２と、後面開口して、本体ブロック２の前面側に被着するカバー部３ｃとから構成される。そして、カバー部３ｃの長手方向の両側壁の後縁から後方に向かって組立片１３が延設され、組立片１３に設けた組立孔９が本体ブロック２の長手方向の両側面に形成してある組立突起８に係合することにより本体ブロック２とカバー部３ｃとが結合される。
【００６２】
本体ブロック２は、同軸ケーブル（図示なし）の他端のアース導体が接続される接地部１５及び同軸ケーブルの芯線が接続される導体部１４を備えたＦ型接栓４ａ，４ｂを備え、情報信号を受信する情報端末に一端を接続している同軸ケーブルの他端を接続するＦ型接栓４ａを本体ブロック２の前面に備え、上位からの同軸ケーブルを接続するまたは上位からの信号を通過させるＦ型接栓４ｂを本体ブロック２の下面の後方に備えている。そして、前記情報端末側からＦ型接栓４ａに入力する雑音を遮断するフィルター手段（図示なし）を内部に設けており、前記フィルター手段の動作をオン・オフさせるスイッチ６は押釦スイッチであり、スイッチ６は、押下操作することで前記フィルター手段の動作をオン・オフさせることができる操作部６ｂを、本体ブロック２の前面端部に備えている。
【００６３】
カバー部３ｃは、従来例と同様に埋込型配線器具の取付枠３２に取付可能であり、長手方向の各側面には、埋込型配線器具の取付枠３２の器具取付孔（図示なし）に係止可能な取付爪５が各々一対ずつ突設してあり、取付爪５が器具取付孔に係止することによって取付枠３２に保持されるようにしてある。また、前面に凹部１０と操作孔２３とを備え、凹部１０の底部にはＦ型接栓４ａが挿通する挿通孔１１が形成され、凹部１０にＦ型接栓４ａが収納されて、また、操作孔２３は、前面から操作部６ｂが露出するように操作部６ｂに対応する位置に設けられる。
【００６４】
図２８に、化粧プレート取付時の前面図を示す。テレビコンセント１の施工取付は、従来例と同様に化粧プレート３０、プレート枠３１、取付枠３２を用いるものであり、取付爪５は取付枠３２の器具取付孔３３に係止して取り付けられ、化粧プレート３０はＦ型接栓４ａ及び操作孔２３近傍に対応する箇所を長方形状に切り欠いている。
【００６５】
通常状態においては、操作部６ｂは操作孔２３の奥に設けられ、前面から見づらい位置にあるため、操作部６ｂは一般ユーザーが容易に操作できないようになっている。
【００６６】
操作部６ｂを操作するときには、化粧プレート３０、プレート枠３１、取付枠３２を取り付けた状態で、前方から、露出している操作部６ｂのオン・オフ操作を行って、フィルター手段の動作を切りかえることができる。
【００６７】
【発明の効果】
請求項１の発明は、金属からなる筐体を有し、情報信号を受信する情報端末に一端を接続した同軸ケーブルの他端のアース導体が接続される接地部及び前記同軸ケーブルの他端の芯線が接続される導体部を設けたＦ型接栓と、スライドすることによって、前記情報端末側から前記Ｆ型接栓に入力する雑音を遮断するフィルター手段の動作のオン・オフを切換えるスライドスイッチの操作部とを前記筐体の前面に備え、前記筐体の内部に前記フィルター手段を備えた本体ブロックと、
前記本体ブロックの前面に被着して、前記本体ブロックの前面が露出する開口部と、埋込型配線器具の取付枠に取り付けるための係止部とを備えた第１のカバー部と、
前記Ｆ型接栓を収納する凹部と前記凹部の底面に設けた前記Ｆ型接栓が挿通する挿通孔とを備えて、前記Ｆ型接栓に回動自在に軸支されて前記第１のカバーの開口部上に配置され、前記本体ブロックの前面と対向する面に、前記本体ブロックの前面に設けてあるガイド用凸部が移動自在に遊嵌する回動中心と同心の円弧状のガイド用孔と、一方の方向に回動した時に前記スライドスイッチの操作部を押動して前記スライドスイッチをオンに切換えるリブと、他方の方向に回動した時に前記スライドスイッチの操作部を押動して前記スライドスイッチをオフに切換えるリブとを備えた第２のカバー部とから構成されるので、スイッチの操作部を操作するときには、埋込型配線器具に通常用いられる化粧プレートを取り外し、プレート枠、取付枠を取り付けた状態で、第２のカバー部を時計方向あるいは反時計方向に回動させることによって、第２のカバー部の後面に設けたリブが操作部に当接して、スイッチをオンまたはオフに切り換えて、フィルター手段の動作を切りかえることができ、また、通常状態においては、化粧プレートが被着し、且つスイッチの操作部は前面から見えないので、操作部は一般ユーザーが容易に操作できないという効果がある。
【００６８】
請求項２の発明は、金属からなる筐体を有し、情報信号を受信する情報端末に一端を接続した同軸ケーブルの他端のアース導体が接続される接地部及び前記同軸ケーブルの他端の芯線が接続される導体部を設けたＦ型接栓と、スライドすることによって、前記情報端末側から前記Ｆ型接栓に入力する雑音を遮断するフィルター手段の動作のオン・オフを切換えるスライドスイッチの操作部とを前記筐体の前面に備え、前記筐体の内部に前記フィルター手段を備えた本体ブロックと、
前記本体ブロックの前面に被着して、前記本体ブロックの前面が露出する開口部と、埋込型配線器具の取付枠に取り付けるための係止部とを備えた第１のカバー部と、
前記Ｆ型接栓を収納する凹部と前記凹部の底面に設けた前記Ｆ型接栓が挿通する挿通孔とを備えて、前記Ｆ型接栓に回動自在に軸支されて前記第１のカバーの開口部上に配置され、前記本体ブロックの前面と対向する面に、前記スライドスイッチの操作部が移動自在に遊嵌する回動中心と同心の円弧状のガイド用孔を形成し、前記円弧状のガイド用孔は、一方の方向に回動した時に前記スライドスイッチの操作部を押動して前記スライドスイッチをオンに切換える一方の端部と、他方の方向に回動した時に前記スライドスイッチの操作部を押動して前記スライドスイッチをオフに切換える他方の端部とを備える第２のカバー部とから構成されるので、スイッチの操作部を操作するときには、埋込型配線器具に通常用いられる化粧プレートを取り外し、プレート枠、取付枠を取り付けた状態で、第２のカバー部を時計方向あるいは反時計方向に回動させることによって、第２のカバー部のガイド孔の端部が操作部に当接して、スイッチをオンまたはオフに切り換えて、フィルター手
段の動作を切りかえることができ、また、通常状態においては、化粧プレートが被着し、且つスイッチの操作部は前面から見えないので、操作部は一般ユーザーが容易に操作できないという効果がある。  
【図面の簡単な説明】
【図１】  （ａ）本発明の参考例１の構成を示す前面図である。
（ｂ）本発明の参考例１の構成を示す下面図である。
（ｃ）本発明の参考例１の構成を示す側面図である。
【図２】  （ａ）本発明の参考例１の本体ブロックを示す左側面図である。
（ｂ）本発明の参考例１の本体ブロックを示す前面図である。
（ｃ）本発明の参考例１の本体ブロックを示す右側面図である。
【図３】  （ａ）本発明の参考例１の第１のカバーを示す前面図である。
（ｂ）本発明の参考例１の第１のカバーを示す側面図である。
【図４】  （ａ）本発明の参考例１の第２のカバーを示す前面図である。
（ｂ）本発明の参考例１の第２のカバーを示す側面図である。
【図５】  本発明の参考例１の本体ブロックを示す前面図である。
【図６】  （ａ）本発明の参考例１の通常時の施工取付状態を示す前面図である。
（ｂ）本発明の参考例１のスイッチ操作可能時の施工取付状態を示す前面図である。
【図７】  （ａ）本発明の実施形態１の構成を示す前面図である。
（ｂ）本発明の実施形態１の構成を示す下面図である。
（ｃ）本発明の実施形態１の構成を示す側面図である。
【図８】  （ａ）本発明の実施形態１の本体ブロックを示す左側面図である。
（ｂ）本発明の実施形態１の本体ブロックを示す前面図である。
（ｃ）本発明の実施形態１の本体ブロックを示す右側面図である。
【図９】  本発明の実施形態１の第１のカバーを示す前面図である。
【図１０】  本発明の実施形態１の第２のカバーを示す前面図である。
【図１１】  （ａ）本発明の実施形態１の通常時の施工取付状態を示す前面図である。
（ｂ）本発明の実施形態１のスイッチ操作可能時の施工取付状態を示す第１の前面図である。
（ｃ）本発明の実施形態１のスイッチ切り換え時の施工取付状態を示す第２の前面図である。
【図１２】  （ａ）本発明の実施形態２の構成を示す前面図である。
（ｂ）本発明の実施形態２の構成を示す下面図である。
（ｃ）本発明の実施形態２の構成を示す側面図である。
【図１３】  （ａ）本発明の実施形態２の本体ブロックを示す左側面図である。
（ｂ）本発明の実施形態２の本体ブロックを示す前面図である。
（ｃ）本発明の実施形態２の本体ブロックを示す右側面図である。
【図１４】  本発明の実施形態２の第１のカバーを示す前面図である。
【図１５】  本発明の実施形態２の第２のカバーを示す前面図である。
【図１６】  （ａ）本発明の実施形態２の通常時の施工取付状態を示す前面図である。
（ｂ）本発明の実施形態２のスイッチ操作可能時の施工取付状態を示す第１の前面図である。
（ｃ）本発明の実施形態２のスイッチ切り換え時の施工取付状態を示す第２の前面図である。
【図１７】  （ａ）本発明の参考例２の構成を示す前面図である。
（ｂ）本発明の参考例２の構成を示す下面図である。
（ｃ）本発明の参考例２の構成を示す側面図である。
【図１８】  （ａ）本発明の参考例２の本体ブロックを示す側面図である。
（ｂ）本発明の参考例２の本体ブロックを示す前面図である。
【図１９】  （ａ）本発明の参考例２のカバーを示す前面図である。
（ｂ）本発明の参考例２のカバーを示す側面図である。
【図２０】  （ａ）本発明の参考例２の通常時の施工取付状態を示す前面図である。
（ｂ）本発明の参考例２のスイッチ操作可能時の施工取付状態を示す前面図である。
【図２１】  （ａ）本発明の参考例３の構成を示す前面図である。
（ｂ）本発明の参考例３の構成を示す下面図である。
（ｃ）本発明の参考例３の構成を示す側面図である。
【図２２】  （ａ）本発明の参考例３の本体ブロックを示す前面図である。
（ｂ）本発明の参考例３の本体ブロックを示す下面図である。
（ｃ）本発明の参考例３の本体ブロックを示す側面図である。
【図２３】  本発明の参考例３のカバーを示す前面図である。
【図２４】  本発明の参考例３の施工取付状態を示す前面図である。
【図２５】  （ａ）本発明の参考例４の構成を示す前面図である。
（ｂ）本発明の参考例４の構成を示す下面図である。
（ｃ）本発明の参考例４の構成を示す側面図である。
【図２６】  （ａ）本発明の参考例４の本体ブロックを示す前面図である。
（ｂ）本発明の参考例４の本体ブロックを示す下面図である。
（ｃ）本発明の参考例４の本体ブロックを示す側面図である。
【図２７】  本発明の参考例４のカバーを示す前面図である。
【図２８】  本発明の参考例４の施工取付状態を示す前面図である。
【図２９】  従来例のシステム構成を示す第１の図である。
【図３０】  従来例のシステム構成を示す第２の図である。
【図３１】  （ａ）従来例の構成を示す前面図である。
（ｂ）従来例の構成を示す下面図である。
（ｃ）従来例の構成を示す側面図である。
【図３２】  （ａ）従来例の施工取付状態を示す前面図である。
（ｂ）従来例の施工取付状態を示す断面図である。
【符号の説明】
１  テレビコンセント
２  本体ブロック
３ａ  第１のカバー部
３ｂ  第２のカバー部
１６  切り欠き部
【図１】
0003770090.tif 000002
【図２】
0003770090.tif 000003
【図３】
0003770090.tif 000004
【図４】
0003770090.tif 000005
【図５】
0003770090.tif 000006
【図６】
0003770090.tif 000007
【図７】
0003770090.tif 000008
【図８】
0003770090.tif 000009
【図９】
0003770090.tif 000010
【図１０】
0003770090.tif 000011
【図１１】
0003770090.tif 000012
【図１２】
0003770090.tif 000013
【図１３】
0003770090.tif 000014
【図１４】
0003770090.tif 000015
【図１５】
0003770090.tif 000016
【図１６】
0003770090.tif 000017
【図１７】
0003770090.tif 000018
【図１８】
0003770090.tif 000019
【図１９】
0003770090.tif 000020
【図２０】
0003770090.tif 000021
【図２１】
0003770090.tif 000022
【図２２】
0003770090.tif 000023
【図２３】
0003770090.tif 000024
【図２４】
0003770090.tif 000025
【図２５】
0003770090.tif 000026
【図２６】
0003770090.tif 000027
【図２７】
0003770090.tif 000028
【図２８】
0003770090.tif 000029
【図２９】
0003770090.tif 000030
【図３０】
0003770090.tif 000031
【図３１】
0003770090.tif 000032
【図３２】
0003770090.tif 000033